(57)【要約】    【課題】ウォッチャーからの状態情報通知予約の要求に対する可否を、ウォッチャーやプレゼンティティの属性やその時点のプレゼンスに応じて判定可能とする。    【解決手段】ウォッチャー端末２がサーバ４に対して状態情報通知予約の要求を送信すると、サーバ４ではポリシ評価手段４０５がポリシ管理手段４０６からプレゼンティティ毎のウォッチャーに対する状態情報通知予約の判定論理であるポリシを取得し、これに基づいて前記状態情報通知予約の可否判定を行い、判定結果がＯＫの場合は予約情報管理手段４０４により状態情報通知予約を処理し、その時点の状態情報をウォッチャー端末２へ通知し、判定結果がＮＧの場合は状態情報通知予約が拒否された旨をウォッチャー端末２へ通知する。【選択図】図１
2005275755.tif 000002
【特許請求の範囲】
【請求項１】
状態情報を発信する側のユーザであるプレゼンティティが使用するプレゼンティティ端末及び前記状態情報の通知を受信する側のユーザであるウォッチャーが使用するウォッチャー端末とネットワークを介して接続されたサーバであって、一のプレゼンティティ端末からの状態情報が変更された契機に当該変更後の状態情報の通知を受信するための状態情報通知予約を任意のウォッチャー端末から受け付けて管理するサーバが、前記一のプレゼンティティ端末からの状態情報が変更された契機に状態情報通知予約済みのウォッチャー端末に対して当該変更された状態情報を通知する状態情報通知方法において、
前記サーバが、
プレゼンティティ毎にウォッチャーに対して前記状態情報通知予約の判定論理であるポリシを管理し、
ウォッチャー端末から状態情報通知予約の要求を受け付けた際は該当プレゼンティティ毎のポリシに基づいて状態情報通知予約の可否判定を行い、
前記判定結果がＯＫの場合は状態情報通知予約を処理し、その時点の状態情報をウォッチャー端末へ通知し、
前記判定結果がＮＧの場合は状態情報通知予約が拒否された旨をウォッチャー端末へ通知する
ことを特徴とする状態情報通知方法。
【請求項２】
請求項１記載の状態情報通知方法において、
前記プレゼンティティ端末もしくは第三者が使用する端末であって前記ネットワークに接続された管理端末が、前記サーバで管理するポリシを編集（追加、削除、更新、参照）することを特徴とする状態情報通知方法。
【請求項３】
請求項２記載の状態情報通知方法において、
前記サーバが、プレゼンティティ端末もしくは管理端末からのポリシの編集要求を受け付けた際、ポリシ編集の権限を有することを確認するための認証を行い、認証結果がＯＫの場合はポリシの編集要求を許可し、認証結果がＮＧの場合はポリシの編集要求を拒否することを特徴とする状態情報通知方法。
【請求項４】
請求項２または３記載の状態情報通知方法において、
前記サーバが、その管理するポリシが編集された契機に既に状態情報通知予約済みのウォッチャーに関して状態情報通知予約の可否判定の再評価を行い、その結果がＯＫの場合はそのまま予約状態とし、ＮＧの場合は当該予約を解除し、状態情報通知予約を行っていたウォッチャー端末に対して状態情報通知予約が解除された旨を通知することを特徴とする状態情報通知方法。
【請求項５】
状態情報を発信する側のユーザであるプレゼンティティが使用するプレゼンティティ端末及び前記状態情報の通知を受信する側のユーザであるウォッチャーが使用するウォッチャー端末とネットワークを介して接続されたサーバであって、一のプレゼンティティ端末からの状態情報が変更された契機に当該変更後の状態情報の通知を受信するための状態情報通知予約を任意のウォッチャー端末から受け付けて管理するサーバが、前記一のプレゼンティティ端末からの状態情報が変更された契機に状態情報通知予約済みのウォッチャー端末に対して当該変更された状態情報を通知する状態情報通知方法において、
前記プレゼンティティ端末もしくは第三者が使用する端末であって前記ネットワークに接続された管理端末が、状態情報通知予約の取消要求をサーバに送信し、
前記サーバが、状態情報通知予約の取消要求に従って該当する予約情報を解除し、状態情報通知予約を行っていたウォッチャー端末に対して状態情報通知予約が解除された旨を通知する
ことを特徴とする状態情報通知方法。
【請求項６】
請求項５記載の状態情報通知方法において、
前記サーバが、状態情報通知予約の取消要求を受け付けた際、予約取消を実行する権限があることを確認するための認証を行い、認証結果がＯＫの場合は状態情報通知予約の取消要求を実行し、認証結果がＮＧの場合は状態情報通知予約の取消要求を拒否することを特徴とする状態情報通知方法。
【請求項７】
請求項５または６記載の状態情報通知方法において、
前記プレゼンティティ端末もしくは第三者が使用する端末であって前記ネットワークに接続された管理端末が、現在の状態情報通知予約の状況（指定されたプレゼンティティに対して予約を行っているウォッチャーのリスト）を参照することを特徴とする状態情報通知方法。
【請求項８】
状態情報を発信する側のユーザであるプレゼンティティが使用するプレゼンティティ端末と、前記状態情報の通知を受信する側のユーザであるウォッチャーが使用するウォッチャー端末と、一のプレゼンティティ端末からの状態情報が変更された契機に当該変更後の状態情報の通知を受信するための状態情報通知予約を任意のウォッチャー端末から受け付けて管理し、前記一のプレゼンティティ端末からの状態情報が変更された契機に状態情報通知予約済みのウォッチャー端末に対して当該変更された状態情報を通知するサーバと、これらを接続するネットワークとを少なくとも含む状態情報通知システムにおいて、
前記サーバは、
プレゼンティティ毎にウォッチャーに対して前記状態情報通知予約の判定論理であるポリシを管理する手段と、
ウォッチャー端末から状態情報通知予約の要求を受け付けた際は該当プレゼンティティ毎のポリシに基づいて状態情報通知予約の可否判定を行う手段と、
前記判定結果がＯＫの場合は状態情報通知予約を処理し、その時点の状態情報をウォッチャー端末へ通知する手段と、
前記判定結果がＮＧの場合は状態情報通知予約が拒否された旨をウォッチャー端末へ通知する手段とを具備した
ことを特徴とする状態情報通知システム。
【請求項９】
請求項８記載の状態情報通知システムにおいて、
前記プレゼンティティ端末もしくは第三者が使用する端末であって前記ネットワークに接続された管理端末は、前記サーバで管理するポリシを編集（追加、削除、更新、参照）する手段を具備したことを特徴とする状態情報通知システム。
【請求項１０】
請求項９記載の状態情報通知システムにおいて、
前記サーバは、プレゼンティティ端末もしくは管理端末からのポリシの編集要求を受け付けた際に本人確認のための認証を行う手段と、認証結果がＯＫの場合じゃ前記編集要求を実行する手段と、認証結果がＮＧの場合は編集要求を拒否する手段とを具備したことを特徴とする状態情報通知システム。
【請求項１１】
請求項９または１０記載の状態情報通知システムにおいて、
前記サーバは、その管理するポリシが編集された契機に既に状態情報通知予約済みのウォッチャーに関して状態情報通知予約の可否判定の再評価を行う手段と、その結果がＯＫの場合はそのまま予約状態とし、ＮＧの場合は当該予約を解除し、状態情報通知予約を行っていたウォッチャーに対して状態情報通知予約が解除された旨を通知する手段とを具備したことを特徴とする状態情報通知システム。
【請求項１２】
状態情報を発信する側のユーザであるプレゼンティティが使用するプレゼンティティ端末と、前記状態情報の通知を受信する側のユーザであるウォッチャーが使用するウォッチャー端末と、一のプレゼンティティ端末からの状態情報が変更された契機に当該変更後の状態情報の通知を受信するための状態情報通知予約を任意のウォッチャー端末から受け付けて管理し、前記一のプレゼンティティ端末からの状態情報が変更された契機に状態情報通知予約済みのウォッチャー端末に対して当該変更された状態情報を通知するサーバと、これらを接続するネットワークとを少なくとも含む状態情報通知システムにおいて、
前記プレゼンティティ端末もしくは第三者が使用する端末であって前記ネットワークに接続された管理端末は、
状態情報通知予約の取消要求をサーバに送信する手段を具備し、
前記サーバは、
状態情報通知予約の取消要求に従って該当する予約情報を解除し、状態情報通知予約を行っていたウォッチャー端末に対して状態情報通知予約が解除された旨を通知する手段を具備した
ことを特徴とする状態情報通知システム。
【請求項１３】
請求項１２記載の状態情報通知システムにおいて、
前記サーバは、状態情報通知予約の取消要求を受け付けた際に本人確認のための認証を行う手段と、認証結果がＯＫの場合は前記取消要求を実行する手段と、認証結果がＮＧの場合は状態情報通知予約の取消要求を拒否する手段とを具備したことを特徴とする状態情報通知システム。
【請求項１４】
請求項１２または１３記載の状態情報通知システムにおいて、
前記プレゼンティティ端末もしくは第三者が使用する端末であって前記ネットワークに接続された管理端末は、現在の状態情報予約状況（指定されたプレゼンティティに対して予約を行っているウォッチャーのリスト）を参照する手段を具備したことを特徴とする状態情報通知システム。
【発明の詳細な説明】
【技術分野】
【０００１】
本発明は、ネットワークに接続された任意の端末（ＰＣ、ＰＤＡ、携帯電話等）間で、状態、状況、気持ちや通信可能手段等の個人や物に関連する状態情報を、同じくネットワークに接続されたサーバを介して通知する、特に一のユーザの端末から発信された状態情報を、当該状態情報が変更された契機に予めその変更後の状態情報を受信することを予約している他のユーザの端末に通知する状態情報通知方法及びそのシステムに関するものである。
【背景技術】
【０００２】
従来、状態情報（以降、プレゼンスと呼ぶ。）を発信する側のユーザ（以降、プレゼンティティと呼ぶ。）の端末（以降、プレゼンティティ端末と呼ぶ。）と、プレゼンスを受信する側のユーザ（以降、ウォッチャーと呼ぶ。）の端末（以降、ウォッチャー端末と呼ぶ。）と、プレゼンスを集中管理するサーバがネットワークを介して接続され、サーバに対してウォッチャーが所定のプレゼンティティのプレゼンスの通知を予約すると、以後、所定のプレゼンティティがプレゼンスを変更する都度、サーバが自動的に変更後のプレゼンスを予約済みウォッチャーに通知する標準仕様やシステムが提案、提供されている。
【０００３】
また、前記プレゼンスの通知予約の受付時には、本当に予約を実行して良いかを予約対象プレゼンティティに確認することも可能であり、確認の結果をサーバにて管理し、次回からの同一ウォッチャーからの予約要求に対して自動的な受付可否判断制御が可能である（例：Ｗｉｎｄｏｗｓ（登録商標）Ｍｅｓｓｅｎｇｅｒ、ＡＯＬ  Ｍｅｓｓｅｎｇｅｒ等のインスタントメッセージソフト）。
【特許文献１】再公表特許ＷＯ００／１９３２６（特願２０００−５７２７６５）
【発明の開示】
【発明が解決しようとする課題】
【０００４】
上記のような状態情報通信システム（以降、プレゼンスシステムと呼ぶ。）においては、サーバにおけるウォッチャーからの通知予約要求に対する可否判定はウォッチャーの名前（ユーザアカウント）で判定する程度（例：拒否リストに登録してあるウォッチャーに対しては通知予約を拒否、登録していない場合は通知予約を行う）であり、ウォッチャーやプレゼンティティの属性（性別、年齢、趣味等）に応じた可否判定や、その時点のプレゼンス（居場所や気持ち、通信可能端末種別等）に応じた可否判定ができなかった。
【０００５】
また、特許文献１では、属性やプレゼンスに応じたアクセス権限の付与を被利用者のポリシを用いて行うことが提案されているが、プレゼンスシステムに適用した場合には一度でも予約ＯＫと判定された場合には、その後、ポリシの設定内容やポリシ評価時に用いる属性やプレゼンスが変化し、予約ＮＧと判断されるべき状態に変化したとしても、ウォッチャー側から予約解除が行われるか、サービス期間が満了するまで予約済みの状態が保持されたままになるという問題があった。
【０００６】
また、現状のシステムでは、あるプレゼンティティに対して誰が予約済みの状態であるかをリアルタイムに把握することができないという問題があった。
【０００７】
また、プレゼンス通知予約はその予約を行ったウォッチャーの意思で削除することは可能であるが、プレゼンティティもしくは第三者の意思で強制的に削除することができないという問題があった。
【０００８】
本発明は上記問題を解決するためのものであり、ウォッチャーからのプレゼンス通知予約に対してプレゼンティティもしくは第三者が設定したポリシに従って柔軟な可否判定を行うことを可能とする。
【０００９】
また、サーバで管理するポリシをプレゼンティティもしくは然るべき権限を持った第三者が編集することを可能とし、ポリシが編集された契機にその時点で予約状況を再評価し、結果が予約可であれば予約したままに、結果が予約不可であればその時点で予約を解除することを可能とする。
【００１０】
また、プレゼンスの通知予約状況をいつでも参照できるようにし、プレゼンティティもしくは然るべき権限を持った第三者の意思に基づいていつでも解除できるようにする。
【課題を解決するための手段】
【００１１】
前記課題を解決するため、請求項１記載の発明は、通信ネットワークを用いたプレゼンスシステムにおいてプレゼンティティのポリシを用いたプレゼンス通知予約処理方法であって、プレゼンティティが自身のポリシをサーバに登録するステップと、ウォッチャーがプレゼンティティに対するプレゼンス通知予約の要求をサーバへ送信するステップと、サーバが該当プレゼンティティのポリシをもとに予約の可否判定を行うステップと、判定の結果が予約ＯＫの場合に通知予約処理を行うとともに現在のプレゼンスをウォッチャーへ通知するステップと、判定の結果が予約ＮＧの場合にその旨をウォッチャーへ通知するステップとを備える。
【００１２】
また、請求項２記載の発明は、通信ネットワークを用いたプレゼンス予約可否判定に用いるポリシの編集方法であって、ポリシ編集要求者がサーバにポリシの編集要求を送出するステップと、サーバが指定されたプレゼンティティのポリシを要求者へ提示するステップと、要求者が提示されたポリシを編集しサーバに対してアップデートを依頼するステップと、依頼されたサーバが該当ポリシをアップデートするステップとを備える。
【００１３】
また、請求項３記載の発明は、請求項２記載の方法において、サーバがポリシ編集要求を受け付けた際に要求者を認証するステップと、認証の結果がＯＫの場合に指定されたポリシを要求者へ提示するステップと、認証の結果がＮＧの場合にポリシ編集要求を拒否するステップとを備える。この際の認証は、指定されたポリシの編集権限を確認するためのもので、編集権限を本人以外の第三者（スーパーユーザ、親、上司等）にも持たせて、第三者が他人のポリシを編集することも可能である。
【００１４】
また、請求項４記載の発明は、請求項２、３記載の方法において、ポリシが編集された際に該当ポリシに関連するプレゼンス通知予約に対して通知予約可否を再評価するステップと、再評価の結果ＯＫの場合はそのまま予約状態とし、ＮＧの場合は予約を解除して予約していたウォッチャーへ解除された旨を通知するステップとを備える。
【００１５】
また、請求項５記載の発明は、通信ネットワークを用いたプレゼンス通知予約解除方法であって、プレゼンティティもしくは第三者がプレゼンス通知予約の解除要求を送出するステップと、サーバが要求内容に基づいて該当予約情報を解除するステップと、予約解除されたウォッチャーに対して解除された旨を通知するステップとを備える。
【００１６】
また、請求項６記載の発明は、請求項５記載の方法において、サーバが予約解除要求を受け付けた際に要求者を認証するステップと、認証の結果がＯＫの場合に指定された予約情報を解除するステップと、認証の結果がＮＧの場合に予約解除要求を拒否するステップとを備える。この際の認証は、指定されたポリシの編集権限を確認するためのもので、編集権限を本人以外の第三者（スーパーユーザ、親、上司等）にも持たせて、第三者が他人のポリシを編集することも可能である。
【００１７】
また、請求項７記載の発明は、請求項５、６記載の方法において、プレゼンティティもしくは第三者が現在の予約状況の参照要求をサーバへ送出するステップと、サーバが要求内容に基づいて現在の予約状況を要求者へ提示するステップとを備える。
【発明の効果】
【００１８】
本発明の効果は以下のとおりである。
（１）プレゼンティティのポリシにもとづいたプレゼンス通知予約処理が可能となる。
（２）適切な権限を持ったユーザが、プレゼンティティのポリシを編集可能となる。
（３）ポリシが変更された時点で新規ポリシをもとにプレゼンス通知予約を再評価し、その時点で予約ＮＧと判定された場合には動的に予約解除される。
（４）適切な権限を持ったユーザが、指定したプレゼンティティのウォッチャーリストを参照可能となる。
（５）適切な権限を持ったユーザが、指定したウォッチャーのプレゼンス通知予約を解除可能となる。
【発明を実施するための最良の形態】
【００１９】
以下、図面を参照して本発明の実施の形態について説明する。
【００２０】
図１は本発明のシステムの実施の形態の一例を示すもので、図中、１はプレゼンティティＡが使用する端末装置（プレゼンティティ端末）、２はウォッチャーＢが使用する端末装置（ウォッチャー端末）、３は管理者（親、上司等）Ｃが使用する端末装置（管理者端末）、４はサーバ、５はこれらを接続する通信ネットワークである。
【００２１】
なお、各端末装置としてはＰＣ、ＰＤＡ、携帯電話等が使用され、通信ネットワークにはインターネットや移動体通信網等が含まれる。また、各端末装置及びサーバには、以後、説明する各装置の機能のうち特徴的な機能を示している。また、ここではプレゼンティティ端末、ウォッチャー端末及び管理者端末を１つずつ示しているが、それぞれ任意の数設置可能であることはいうまでもない。
【００２２】
図２はプレゼンティティ端末１の実施の形態の一例を示すもので、図中、１０１は認証手段、１０２はプレゼンス取得手段、１０３はポリシ編集手段、１０４はウォッチャーリスト参照手段、１０５は通知予約解除手段、１０６は個人情報登録手段、１０７は端末表示手段、１０８は端末操作手段、１０９はデータ送受信手段、１１０は端末制御手段である。
【００２３】
認証手段１０１は、サーバ４にアクセスし各種操作を行う際に認証を行う。プレゼンス取得手段１０２は、プレゼンスをプレゼンティティもしくは各種センサから取得する。ポリシ編集手段１０３は、ポリシを編集する。ウォッチャーリスト参照手段１０４は、ウォッチャーリストを参照する。個人情報登録手段１０５は、自身の個人情報を登録する。通知予約解除手段１０６は、現在予約されている予約情報を解除する。端末表示手段１０７は、端末に各種情報を表示する。端末操作手段１０８は、端末を操作する。データ送受信手段１０９は、サーバ４と各種データを送受信する。端末制御手段１１０は、前述した各手段を制御する。
【００２４】
これらの手段を備えることにより、プレゼンティティ端末１は、サーバ４へ自身のプレゼンスを通知すること、サーバ４にアクセスし認証を行うこと、サーバ４から自身のポリシを取得し、編集後に再度サーバ４へ送信しアップデートすること、また、ウォッチャーリスト（自身のプレゼンスに通知予約しているウォッチャーのリスト）を参照すること、自身に通知予約している予約を強制的に解除すること、が可能となる。
【００２５】
図３はウォッチャー端末２の実施の形態の一例を示すもので、図中、２０１はプレゼンス予約手段、２０２はプレゼンス取得手段、２０３は個人情報登録手段、２０４は端末表示手段、２０５は端末操作手段、２０６はデータ送受信手段、２０７は端末制御手段である。
【００２６】
プレゼンス予約手段２０１は、プレゼンスの予約をサーバ４へ行う。プレゼンス取得手段２０２は、予約済みプレゼンティティのプレゼンスが変更される都度、サーバ４からプレゼンスの通知を受ける。個人情報登録手段２０３は、自身の個人情報を登録する。端末表示手段２０４は、端末に各種情報を表示する。端末操作手段２０５は、端末を操作する。データ送受信手段２０６は、サーバ４と各種データを送受信する。端末制御手段２０７は、前述した各手段を制御する。
【００２７】
これらの手段を備えることにより、ウォッチャー端末２は、サーバ４へ希望するプレゼンティティのプレゼンスの通知を予約すること、予約したプレゼンティティのプレゼンスが変更される都度サーバ４からプレゼンス情報が通知されること、通知されたプレゼンスを端末に表示して参照すること、が可能となる。
【００２８】
また、図１〜３ではプレゼンティティＡが使用する端末とウォッチャーＢが使用する端末を分離して示しているが、１つの端末がプレゼンティティ端末とウォッチャー端末を兼ねることも可能であり、その場合は１つの端末が図２、３で示した手段を備えることとなる。
【００２９】
図４は管理者端末３の実施の形態の一例を示すもので、図中、３０１は認証手段、３０２はポリシ編集手段、３０３はウォッチャーリスト参照手段、３０４は通知予約解除手段、３０５は端末表示手段、３０６は端末操作手段、３０７はデータ送受信手段、３０８は端末制御手段である。
【００３０】
認証手段３０１は、サーバ４にアクセスし各種操作を行う際に認証を行う。ポリシ編集手段３０２は、ポリシを編集する。ウォッチャーリスト参照手段３０３は、ウォッチャーリストを参照する。通知予約解除手段３０４は、現在予約されている予約情報を解除する。端末表示手段３０５は、端末に各種情報を表示する。端末操作手段３０６は、端末を操作する。データ送受信手段３０７は、サーバ４と各種データを送受信する。端末制御手段３０８は、前述した各手段を制御する。
【００３１】
これらの手段を備えることにより、管理者端末３は、親、上司等の適切な権限を持った管理者（ユーザ）Ｃがサーバ４にアクセスし認証を行うこと、サーバ４から指定したプレゼンティティのポリシを取得し、編集後に再度サーバ４へ送信しアップデートすること、また、ウォッチャーリスト（指定したプレゼンティティのプレゼンスに通知予約しているウォッチャーのリスト）を参照すること、また、指定したプレゼンティティに通知予約している予約を強制的に解除すること、が可能となる。
【００３２】
図５はサーバ４の実施の形態の一例を示すもので、図中、４０１はプレゼンス取得手段、４０２はプレゼンス管理手段、４０３はプレゼンス通知手段、４０４は予約情報管理手段、４０５はポリシ評価手段、４０６はポリシ管理手段、４０７はウォッチャーリスト管理手段、４０８は認証手段、４０９はデータ送受信手段、４１０はサーバ制御手段である。
【００３３】
プレゼンス取得手段４０１は、各プレゼンティティからのプレゼンスを受け付ける。プレゼンス管理手段４０２は、各プレゼンティティのプレゼンスを管理しプレゼンスに変更が生じた場合にプレゼンス通知手段に通知する。プレゼンス通知手段４０３は、プレゼンス管理手段４０２よりプレゼンス変更通知を受け取った際に予約情報管理手段４０４より予約状況を確認し予約済みウォッチャーへプレゼンスを通知する。予約情報管理手段４０４は、予約情報を管理し、プレゼンティティもしくは第三者からの予約情報削除要求があった際には該当予約情報を削除する。ポリシ評価手段４０５は、ウォッチャーからのプレゼンス予約依頼があった際もしくはポリシが編集された際に該当プレゼンティティのポリシを評価し予約可否判定を行う。ポリシ管理手段４０６は、ポリシ評価の際に使用する各プレゼンティティのポリシを管理し、プレゼンティティもしくは第三者からのポリシ編集要求に応じて変更する。ウォッチャーリスト管理手段４０７は、プレゼンティティもしくは第三者よりウォッチャーリスト参照要求があった際に予約情報管理手段４０４より該当情報を取得しウォッチャーリストとして返却する。認証手段４０８は、ポリシ編集もしくはウォッチャーリスト参照要求、予約情報解除要求があった際に、適切な権限を持っていることを確認する。データ送受信手段４０９は、端末１，２，３と各種データを送受信する。サーバ制御手段４１０は、前述した各手段を制御する。
【００３４】
これらの手段によりプレゼンティティ、ウォッチャー間でのサーバを介したプレゼンスの送受信、ポリシ評価によるプレゼンス通知予約可否判定、プレゼンティティもしくは管理者によるポリシ編集、ウォッチャーリスト参照、通知予約解除、が可能となる。
【００３５】
図６は前述した実施の形態における動作のうちプレゼンス通知予約の動作を示すフローチャートである。
【００３６】
ウォッチャーＡの端末２のプレゼンス予約手段２０１がプレゼンティティを指定してプレゼンス通知予約要求をサーバ４へ送信し（Ｓ１０１）、サーバ４が前記要求をデータ送受信手段４０９で受信し、ポリシ評価手段４０５がポリシ管理手段４０６から該当プレゼンティティのポリシを取得し（Ｓ１０２）、ポリシ評価手段４０５にてポリシ評価に必要な情報を取得する（Ｓ１０３）。ここで、ポリシ評価にて必要な情報とはプレゼンティティもしくはウォッチャーの個人情報やプレゼンスを指す。つまり、例えばポリシとして「趣味が自分と同じ人ならＯＫ、それ以外の場合はＮＧ」という論理を記述していた場合、本ステップにてプレゼンティティとウォッチャーの個人情報から「趣味」を取得する。
【００３７】
続いてポリシ評価を行い（Ｓ１０４）、評価の結果がＮＧの場合は通知予約ＮＧの旨をウォッチャーＢの端末２へ通知し（Ｓ１０５）、評価の結果がＯＫの場合は予約情報管理手段４０４にて当該予約情報を登録し（Ｓ１０６）、プレゼンティティの現在のプレゼンスをウォッチャーＢの端末２へ通知し（Ｓ１０７）、プレゼンス通知予約を終了する。
【００３８】
図７は前述した実施の形態におけるポリシ編集に関する動作を示すフローチャートである。
【００３９】
プレゼンティティＡの端末１のポリシ編集手段１０３がポリシの編集依頼をサーバ４へ行い（Ｓ２０１）、サーバ４が前記要求をデータ送受信手段４０９で受信し、認証手段４０８が要求依頼者が適切な権限を持っているか否かを認証する（Ｓ２０２）。認証の結果、プレゼンティティＡが該当ポリシの編集権限を持っていなかった場合は認証ＮＧの旨を要求元の端末１へ返却し（Ｓ２０３）、終了する。認証の結果、プレゼンティティＡが該当ポリシの編集権限を持っている場合は現在のポリシを端末１へ送信し、端末１のポリシ編集手段１０３によりポリシを編集し（Ｓ２０４）、編集後のポリシをサーバ４へ送信し、サーバ４のポリシ管理手段４０６にてポリシを更新する（Ｓ２０５）。
【００４０】
ポリシが更新された契機でポリシ評価手段４０５にてプレゼンティティＡへ通知予約を行っているウォッチャーＢに関して再度予約可否の判定を行う（Ｓ２０６）。判定の結果がＯＫの場合、通知予約情報はそのまま予約状態とし、ポリシ編集は終了する。判定の結果がＮＧの場合、予約情報管理手段４０４にて該当通知予約を解除し（Ｓ２０７）、解除されたウォッチャーＢの端末２に対して解除された旨を通知し（Ｓ２０８）、ポリシ編集は終了する。該当プレゼンティティに複数のウォッチャーが通知予約済み状態であった場合、Ｓ２０６〜Ｓ２０８の処理をウォッチャー数分行う。
【００４１】
図８は前述した実施の形態におけるプレゼンティティもしくは第三者による通知予約解除の動作を示すフローチャートである。
【００４２】
プレゼンティティＡの端末１のウォッチャーリスト参照手段１０４がウォッチャーリスト参照依頼をサーバ４へ行い（Ｓ３０１）、サーバ４が前記要求をデータ送受信手段４０９で受信し、認証手段４０８が要求依頼者が適切な権限を持っているか否かを認証する（Ｓ３０２）。認証の結果、プレゼンティティＡが該当プレゼンティティに関するウォッチャーリスト参照権限を持っていなかった場合は認証ＮＧの旨を要求元の端末１へ返却し（Ｓ３０３）、終了する。認証の結果、プレゼンティティＡが該当ウォッチャーリストの参照権限を持っている場合はウォッチャーリストを端末１へ送信する（Ｓ３０４）。
【００４３】
次にプレゼンティティＡの端末１の通知予約解除手段１０５が通知予約削除依頼をサーバ４へ行い（Ｓ３０５）、サーバ４が前記要求をデータ送受信手段４０９で受信し、認証手段４０８が要求依頼者が適切な権限を持っているか否かを認証する（Ｓ３０６）。認証の結果、プレゼンティティＡが該当予約情報に関する削除権限を持っていなかった場合は認証ＮＧの旨を要求元の端末１へ返却し（Ｓ３０３）、終了する。認証の結果、プレゼンティティＡが該当予約情報の削除権限を持っている場合は予約情報管理手段４０４が該当予約情報を削除し（Ｓ３０７）、該当ウォッチャーＢの端末２へ削除された旨を通知する（Ｓ３０８）。
【図面の簡単な説明】
【００４４】
【図１】本発明のシステムの実施の形態の一例を示す接続図
【図２】プレゼンティティ端末の実施の形態の一例を示すブロック構成図
【図３】ウォッチャー端末の実施の形態の一例を示すブロック構成図
【図４】管理者端末の実施の形態の一例を示すブロック構成図
【図５】サーバ装置の実施の形態の一例を示すブロック構成図
【図６】プレゼンス通知予約の動作を示すフローチャート
【図７】ポリシ編集の動作を示すフローチャート
【図８】プレゼンス通知予約解除の動作を示すフローチャート
【符号の説明】
【００４５】
１：プレゼンス端末、２：ウォッチャー端末、３：管理者端末、４：サーバ、５：通信ネットワーク、１０１，３０１、４０８：認証手段、１０２，２０２，４０１：プレゼンス取得手段、１０３，３０２：ポリシ編集手段、１０４，３０３：ウォッチャーリスト参照手段、１０５，３０４：通知予約解除手段、１０６，２０３：個人情報登録手段、１０７，２０４，３０５：端末表示手段、１０８，２０５，３０６：端末操作手段、１０９，２０６，３０７，４０９：データ送受信手段、１１０，２０７，３０８：端末制御手段、２０１：プレゼンス予約手段、４０２：プレゼンス管理手段、４０３：プレゼンス通知手段、４０４：予約情報管理手段、４０５：ポリシ評価手段、４０６：ポリシ管理手段、４０７：ウォッチャーリスト管理手段、４１０：サーバ制御手段、Ａ：プレゼンティティ（プレゼンス発信者）、Ｂ：ウォッチャー（プレゼンス受信者）、Ｃ：管理者。
【図１】
2005275755.tif 000003
【図２】
2005275755.tif 000004
【図３】
2005275755.tif 000005
【図４】
2005275755.tif 000006
【図５】
2005275755.tif 000007
【図６】
2005275755.tif 000008
【図７】
2005275755.tif 000009
【図８】
2005275755.tif 000010